(57)【要約】【課題】基地局には通話復帰のための構成を設けることなく、通話中にバッテリ交換をした後に直ちに通話復帰できるようにするための移動無線機を提供することを目的とする。【解決手段】時刻を計数する時刻計数部７０と、データ記憶部３０と、データ記憶部３０に電圧を供給するバックアップ電源８０と、通話中の通信情報、時刻計数部７０が計数する通話中の時刻、通話状態を表す通話中フラグをデータ記憶部３０に記憶し、電源がオンされたときにデータ記憶部に記憶されている通話中フラグがオンである場合に、時刻計数部が計数する時刻とデータ記憶部に記憶された通話中の時刻との差である経過時間が所定の時間以下であるとき、データ記憶部に記憶された通信情報を用いて切り戻りを試行するバッテリ交換制御部９０とを備えた。【選択図】　　　　図１
2004147211.tif 000002
【特許請求の範囲】
【請求項１】
時刻を計数する時刻計数部と、
データ記憶部と、
上記データ記憶部に電圧を供給するバックアップ電源と、
通話中の通信情報、上記時刻計数部が計数する通話中の時刻、通話状態を表す通話中フラグを上記データ記憶部に記憶し、電源がオンされたときに上記データ記憶部に記憶されている上記通話中フラグがオンである場合に、上記時刻計数部が計数する時刻と上記データ記憶部に記憶された通話中の時刻との差である経過時間が所定の時間以下であるとき、上記データ記憶部に記憶された上記通信情報を用いて切り戻りを試行するバッテリ交換制御部と
を備えた移動無線機。
【請求項２】
バッテリ交換制御部が、
通話中の通信情報と、時刻計数部が計数する通話中の時刻と、通話状態を表す通話中フラグとをデータ記憶部に記憶し、上記データ記憶部に記憶された通話中フラグがオンである場合に、経過時間が所定の時間以下であるか否かを判定するバッテリ交換制御手段と、
上記経過時間が上記所定の時間以下であると判定された場合に、上記データ記憶部に記憶された上記通信情報を用いて切り戻りを試行する切り戻り試行手段と、
切り戻りが失敗した場合に、ハンドオーバを試行するハンドオーバ試行手段とを備えた請求項１記載の移動無線機。
【請求項３】
バッテリ交換制御部が、
切り戻り試行手段が切り戻りを試行するときに通話チャネルの周波数を設定することにより受信を開始する受信開始手段をさらに備えた請求項２記載の移動無線機。
【請求項４】
時刻計数部がカレンダーＩＣからなる、請求項１記載の移動無線機。
【発明の詳細な説明】
【０００１】
【発明の属する技術分野】
この発明は、移動通信において通話中にバッテリ交換をした後に直ちに通話復帰できるようにするための移動無線機に関するものである。
【０００２】
【従来の技術】
従来の移動無線機では、基地局と通話中に移動局のバッテリの電圧が低下しても、バッテリ交換後、直ちに通話を再開することができるようにするために、基地局が通話中の周波数およびタイムスロットを記憶すると共に移動局に対し同期用制御信号を送信する通話状態記憶部と、移動局と通話状態に復帰するための同期制御部とを有し、移動局が通話中の周波数およびタイムスロットを記憶するための通話状態記憶部と、基地局からの同期用制御信号を監視するための電池交換制御部と、通話状態に復帰するための同期制御部とを有していた（例えば特許文献１参照）。
【０００３】
また、他の従来の移動無線機では、通話中にバッテリの電圧の低下により電源断が発生した場合に、通話復帰に必要なチャネル情報を記憶したメモリおよび基地局とのプロトコル情報を保持したＣＰＵをバックアップ電源によりバックアップするとともに、ＲＣ（抵抗・キャパシタ）充放電回路からなる電源断時間測定回路を起動して経過時間を計数させてバッテリ交換が所定時間内に行われた場合には、メモリに記憶されたチャネル情報およびＣＰＵに保持されたプロトコル情報に基づいて通話復帰できるようにしていた。また、制御チャネルで基地局と同期を取り、電源断によってリセットされたＴＤＭＡタイマーを更新してから、通話チャネルに移行することで、電源断前の通話プロトコルの状態のまま基地局とのシーケンスのやりとりなしで通話復帰するようにしていた（例えば、特許文献２参照）。
【０００４】
【特許文献１】
特開平７−１４３５６３号公報（第１２段落−第１５段落、図１）
【特許文献２】
特開平９−１６７９９１号公報（第８段落−第１２段落、図１、図２）
【０００５】
【発明が解決しようとする課題】
従来の移動無線機は以上のように構成されているので、基地局および移動局の双方に通話状態記憶部および同期制御部を設ける必要があるという課題があった。
【０００６】
また、電源断が発生してから電源断時間測定回路を起動して経過時間を計数させているが、電源断時に電源断時間測定回路に供給されている電圧は常に一定ではないので、正確に経過時間を計数できず、さらにＲＣ充放電回路からなる電源断時間測定回路の放電によって経過時間を測定しているので、ＲＣ充放電回路の放電が終了した後は経過時間が測定できず、バッテリ交換を放電が終了する前に行なわなければならない制約があるという課題があった。
【０００７】
また、制御チャネルで基地局と同期を取った後に通話チャネルに移行しているので通話復帰に時間を要し、通話相手が通話を切断してしまって通話を再開できなくなるという課題があった。
【０００８】
この発明は、上述のような課題を解決するためになされたもので、第１の目的は、基地局には通話復帰のための構成を設けることなく、通話中にバッテリ交換をした後に直ちに通話復帰できるようにするための移動無線機を得るものである。
【０００９】
また、第２の目的は、電源断時のバッテリの電圧の変化に影響されず正確に経過時間を測定できると共に測定できる経過時間の長さに制約を設けることなく、通話中にバッテリ交換をした後に直ちに通話復帰できるようにするための移動無線機を得るものである。
【００１０】
さらに、第３の目的は、通話復帰のための時間を短縮して、通話中にバッテリ交換をした後に直ちに通話復帰できるようにするための移動無線機を得るものである。
【００１１】
【課題を解決するための手段】
この発明に係る移動無線機は、時刻を計数する時刻計数部と、データ記憶部と、データ記憶部に電圧を供給するバックアップ電源と、通話中の通信情報、時刻計数部が計数する通話中の時刻、通話状態を表す通話中フラグをデータ記憶部に記憶し、電源がオンされたときにデータ記憶部に記憶されている通話中フラグがオンである場合に、時刻計数部が計数する時刻とデータ記憶部に記憶された通話中の時刻との差である経過時間が所定の時間以下であるとき、データ記憶部に記憶された通信情報を用いて切り戻りを試行するバッテリ交換制御部とを備えたものである。
【００１２】
【発明の実施の形態】
以下、この発明の実施の一形態を説明する。
実施の形態１．
図１はこの発明に係る実施の形態１の移動無線機の構成の一例を示す図である。図１において、主制御部１０は移動無線機を制御し、発信、受信などの制御を行ない、例えばＣＰＵからなる。制御プログラム記憶部２０は移動無線機を制御するためのプログラムを格納し、例えばＲＯＭからなる。データ記憶部３０は移動無線機を制御するためのデータを一時的に格納し、例えばＲＡＭからなる。通信情報記憶部４０は通信に必要な情報を記憶し、移動無線機の電源を切っても（バッテリを外しても）その記憶内容は消去されず、例えばＥ２　ＰＲＯＭからなる。ＴＤＭＡ制御部５０は移動無線機のＴＤＭＡ−ＴＤＤ（Ｔｉｍｅ　Ｄｉｖｉｓｉｏｎ　Ｍｕｐｔｉｐｌｅ　Ａｃｃｅｓｓ−Ｔｉｍｅ　Ｄｉｖｉｓｉｏｎ　Ｄｕｐｌｅｘ）タイミングを制御し、例えばＬＳＩからなる。送受信部６０は基地局とデータのやりとりを行ない、ＴＤＭＡ制御部５０によりタイミング制御される。時刻計数部７０は現在の時刻を計数し、例えばカレンダーＩＣ（ＲＴＣ）からなり、移動無線機の電源を切っても（バッテリを外しても）時刻を計数する。バックアップ電源８０はデータ記憶部３０に電圧を供給し、例えば蓄電池からなる。時刻計数部７０は、バックアップ電源８０から電圧を供給されて時刻を計数するものでも、カレンダーＩＣのようにバックアップ電源８０から電圧を供給されなくても時刻を計数するものでもよい。バッテリ交換制御部９０は、通話中のバッテリ交換に対する制御を行なう。移動無線機のバッテリは図示省略されている。
【００１３】
図２はこの発明に係る実施の形態１の移動無線機のバッテリ交換制御部９０の構成を示す図である。図２において、バッテリ交換制御手段９１は通話中のバッテリ交換に対する制御を行なう。切り戻り試行制御手段９２はバッテリ交換後に電源をオンした場合に切り戻りを試行する制御を行なう。ハンドオーバ試行制御手段９３は切り戻りが失敗した場合にハンドオーバを試行する制御を行なう。
【００１４】
次に動作について説明する。
このように構成された移動無線機において、バッテリ交換制御部９０は以下のように通話中の制御を実行する。
【００１５】
図３は、この発明の実施の形態１の移動無線機による通話中の処理を示すフロー図である。バッテリ交換制御部９０のバッテリ交換制御手段９１は図３に示すように通話中の処理を実行する。
【００１６】
ステップＳＴ２０で処理が開始されると、ステップＳＴ２１に進み、電源がオンされたか否かを判定する。電源がオンされたと判定された場合にはステップＳＴ２２に進み、電源がオンされていないと判定された場合にはステップＳＴ２１に戻る。
【００１７】
ステップＳＴ２２では、データ記憶部３０に記憶された通話中フラグがオフであるか否かを判定し、オフであると判定された場合にはステップＳＴ２３に進み、オフでない（オンである）と判定された場合には図３のステップＳＴ４１に進む。通話中フラグがオンであるということは、後に説明するように通話中にバッテリの電圧の低下により通話が切断されたことを表しているので、図４に示すバッテリ交換後に電源がオンされた場合の処理を行なう。
【００１８】
ステップＳＴ２３では、データ記憶部３０の記憶内容をクリア（消去）し、かつ、主制御部１０および通信情報記憶部４０の初期化を行なう。
【００１９】
ステップＳＴ２４では、データ記憶部３０の特定の記憶領域にバックアップ済みであることを確認するための確認データ（例えば、バッテリ交換制御部９０に記憶されている。）を書き込み、かつ、通話中であることを示す通話中フラグをオフにする。この確認データは、バッテリが外されたときにデータ記憶部３０の記憶内容が破壊されなかったか否かを判定するためのデータであり、バッテリ交換後に電源がオンされた時に、データ記憶部３０の特定の領域（確認データが書き込まれた領域）の記憶内容を読み出し、その内容が（例えば、バッテリ交換制御部９０に記憶された）確認データと一致する場合にデータ記憶部３０の記憶内容が破壊されなかったと判定する。通話中フラグはデータ記憶領域３０の特定の領域に記憶される。
【００２０】
ステップＳＴ２５では、移動無線機を待ち受け状態に移行させる。ステップＳＴ２６では、発信動作または着信動作があったか否かを判定し、発信動作または着信動作があった場合にはステップＳＴ２７に進み、発信動作または着信動作がない場合にはステップＳＴ２６に戻る。
【００２１】
ステップＳＴ２７では、通話状態に入り、通話中の通信情報（使用周波数、使用タイムスロット、基地局識別符号）をデータ記憶部３０に記憶し、かつ、通話中であることを示す通話中フラグをオンにする。
【００２２】
ステップＳＴ２８では、時刻計数部７０が計数する時刻をデータ記憶部３０に所定の領域に書き込むことで、現在時刻を更新しながら記憶する。ステップＳＴ２７およびステップＳＴ２８で記憶された通信情報（使用周波数、使用タイムスロット、基地局識別符号）、および通話中の現在時刻は、バッテリが交換された後に通話を復旧させるときに必要な情報である。
【００２３】
ステップＳＴ２９では、バッテリの電圧が所定の値以上であるか否かを判定し、所定の値以上であると判定された場合にはステップＳＴ３０に進み、所定の値以上でないと判定された場合にはステップＳＴ３２に進む。
【００２４】
ステップＳＴ３０では、通話が終了したか否かを判定し、終了したと判定された場合にはステップＳＴ３１に進み、終了していないと判定された場合にはステップＳＴ２８に戻る。
【００２５】
ステップＳＴ３１では、通話が終了したので、通話中フラグをオフにしてステップＳＴ３３に進む。
【００２６】
ステップＳＴ３２では、通話中にバッテリの電圧が所定の値よりも低くなったので、電源を切断して、ステップＳＴ３３に進む。ステップＳＴ３３では処理を終了する。
【００２７】
通話が継続している間はステップＳＴ２８−ステップＳＴ２９−ステップＳＴ３０−ステップＳＴ２８のループが繰り返されることになる。通話中にバッテリの電圧が低下すると、ステップＳＴ２９からステップＳＴ３２に進んで、通話中フラグがオンのまま電源が切断される。このとき最後に行なわれたステップＳＴ２８の処理によって記憶された現在時刻が電源が切断された時刻となる。また、通話中フラグがオンのまま電源が切断されているので、バッテリの電圧低下によって通話中に電源が切断されたことが分かる。
【００２８】
図４は、この発明の実施の形態１の移動無線機によるバッテリ交換後に電源をオンした後の処理を示すフロー図である。バッテリ交換制御部９０は図４に示すようにバッテリ交換後に電源がオンされた後の処理を実行する。
【００２９】
図３に示すステップＳＴ２２でバッテリ交換制御手段９１によって通話中フラグがオンであると判定されると、図３のステップＳＴ４１に進み、バッテリ交換制御手段９１がデータ記憶部３０の所定の領域に記憶されたデータが確認データと一致するか否かを判定することにより、バックアップが有効に行なわれているか否かを判定する。バックアップが有効に行なわれていると判定された場合にはステップＳＴ４２に進み、バックアップが有効に行なわれていない判定された場合には図３のステップＳＴ２３に進む。
【００３０】
ステップＳＴ４２では、バッテリ交換制御手段９１が時刻計数部７０の計数する現在の時刻とデータ記憶部３０に記憶された最後の通話時刻（通話中に電源が切断された時刻）との差である経過時間が所定の時間以下であるか否かを判定して、経過時間が所定の時間以下であると判定された場合にはステップＳＴ４３に進み、経過時間が所定の時間より大きいと判定された場合には図３のステップＳＴ２３に進む。
【００３１】
ここで、所定の時間は、例えば１０秒から２０秒の時間が設定される。バッテリの電圧の低下によって電源が切断された場合、通話相手が電源の切断に気づかないか、切断に気づいても通話を終了せずに通話の再開を待つことができる待ち時間としては１０秒から２０秒が妥当であり、２０秒以上の時間が経過すると通話相手が自ら通話を切断してしまうことが多いので、一旦通話を切断して再度同じ通話相手にかけなおす（再ダイヤルする）ほうが、より確実に同じ通話相手との通話を再開できる。また、移動無線機の使用者が直ちにバッテリを交換して再び電源をオンするのに要する時間としては、１０秒から２０秒を見込んでおけば十分である。したがって、経過時間（電源が切断されてから、バッテリを交換して再び電源をオンするまでの時間）が１０秒から２０秒以下ならば、通話相手が自ら通話を切断せずに待っている可能性が高いので通話の再開を試み、１０秒から２０秒を超過していれば、通話相手が自ら通話を切断してしまっている可能性が高いので一旦通話を切断して再ダイヤルできるようにした。
【００３２】
ステップＳＴ４３では、切り戻り試行手段９２が、データ記憶部３０に記憶されている通話に使用していた使用周波数（通話チャネルの周波数）、使用タイムスロット、基地局識別符号をＴＤＭＡ制御部５０に設定する。
【００３３】
ステップＳＴ４４では、切り戻り試行手段９２が、送受信部６０およびＴＤＭＡ制御部５０を用いて、通話が行なわれていた基地局を介した通話を再開するための切り戻り動作を試行する。
【００３４】
ステップＳＴ４５では、切り戻り試行手段９２が、切り戻りが成功して通話が再開されたか否かを判定し、切り戻りが成功したと判定された場合には図３のステップＳＴ２８に進み、切り戻りが成功しなかった（失敗した）と判定された場合にはステップＳＴ４６に進む。
【００３５】
ステップＳＴ４６では、ハンドオーバ試行手段９３が、送受信部６０およびＴＤＭＡ制御部５０を用いて、元の基地局とは異なる新たな基地局を検出して新たな基地局を介した通話を再開するためのハンドオーバ動作を試行する。
【００３６】
ステップＳＴ４７では、ハンドオーバ試行手段９３が、ハンドオーバが成功して通話が再開されたか否かを判定し、ハンドオーバが成功したと判定された場合にはステップＳＴ４８に進み、ハンドオーバが成功しなかった（失敗した）と判定された場合には、通話が再開されなかったので、図３のステップＳＴ３１に進む。
【００３７】
ステップＳＴ４８では、ハンドオーバ試行手段９３が、新たな基地局を介した通話に使用している使用周波数、使用タイムスロット、基地局識別符号をデータ記憶部３０に記憶し、図３のステップＳＴ２８に進む。
【００３８】
以上のように、この実施の形態１によれば、時刻計数部７０によって通話中の時刻を計数しているので電源が切断された後も時刻を正確に計数できる効果が得られ、また、データ記憶部３０にバックアップ電源８０から電圧が供給されているので、通話中に電源が切断されてもデータ記憶部３０に記憶されたデータが消去されず、電源をオンしたときに、データ記憶部３０に記憶された通話中フラグによってバッテリの電圧低下によって通話が切断されたことを検出して、直ちに通話を再開するための切り戻りを試行することができる効果が得られる。
【００３９】
この実施の形態１によれば、電源をオンして、現在の時刻（時刻計数部が計数する時刻）と電源切断時の時刻（データ記憶部に記憶されている時刻）との差が所定の時間以下ならば、切り戻りを試行するようにしたので、通話を開始するための手順を再度行なわずに、通話を再開することができる効果が得られる。
【００４０】
この実施の形態１によれば、所定の時間を１０秒以上２０秒以下の範囲内の値にして、所定の時間以内にバッテリを交換して電源をオンした場合には通話の再開を試み、所定の時間が経過した後は一端通話を切断して再ダイヤルできるようにしたので、通話相手が自ら通話を切断してしまっているにもかかわらず通話の再開を試みるということが低減され、より効率的に同じ通話相手との通話を継続・再開できる効果が得られる。
【００４１】
この実施の形態１によれば、切り戻りが失敗した場合にハンドオーバを試行するようにしたので、バッテリ交換後に電源をオンしたときに通話を再開できる可能性を向上させる効果が得られる。
【００４２】
この実施の形態１によれば、カレンダーＩＣによって時刻を計数するようにしたので、バッテリの電圧低下により電源が切断されても正確な時刻の計数を続けることができる効果が得られる。
【００４３】
実施の形態２．
この発明に係る実施の形態２の移動無線機は、実施の形態１の移動無線機において、切り戻り動作で通話チャネルの周波数を設定して受信を開始するようにしたものである。したがって、この実施の形態２の移動無線機の構成は図１に示された構成でよく、また、通話中の制御およびバッテリ交換後に電源をオンした後の処理は図３および図４に示されたものでよい。
【００４４】
図５は、この発明の実施の形態２の移動無線機バッテリ交換制御部の構成を示す図である。図５において、受信開始手段９４は通話チャネルの周波数を設定して受信を開始する。図２の構成要素と同じ符号が付されたその他の構成要素は、その符号が付された図２の構成要素と等しい。
【００４５】
従来の移動無線機では、例えば特許文献２に示されているように、以下に示すような手順で、切り戻り動作またはハンドオーバ動作において通話を再開していた。
（１）ＴＤＭＡ制御部５０に制御チャネルの周波数を設定し、受信を開始する。
（２）制御チャネルの周波数とＴＤＭＡタイミングを確立する（同期をとる）。
（３）ＴＤＭＡ制御部５０に通話チャネルの周波数とＴＤＭＡタイミングを設定し、受信を開始する。
（４）通話を再開する。
【００４６】
このように、従来の移動無線機では、制御チャネルの周波数を設定して、制御チャネルの周波数とＴＤＭＡタイミングを確立した後に、通話チャネルの周波数とＴＤＭＡタイミングを設定して再度受信を開始するようにしている。
【００４７】
これに対して、この実施の形態２の移動無線機では、以下に説明する処理により切り戻り動作において受信を開始するようにしている。
【００４８】
図６は、この発明の実施の形態２の移動無線機による処理を示すフロー図である。バッテリ交換制御部９０の通信開始手段９４は図６に示すように処理を行なう。
【００４９】
ステップＳＴ６０で処理が開始されると、ステップＳＴ６１に進み、ＴＤＭＡ制御部５０に通話チャネルの周波数を設定し、受信を開始する。
【００５０】
ステップＳＴ６２では、制御チャネルの周波数とＴＤＭＡタイミングを確立する（同期をとる）。
【００５１】
ステップＳＴ６３では、通話を再開し、ステップＳＴ６４で処理を終了する。
【００５２】
この実施の形態２の移動無線機は、実施の形態１の移動無線機において、バッテリ交換制御部９０が、切り戻り試行手段９３が切り戻りを試行するときに通話チャネルの周波数を設定することにより受信を開始する受信開始手段９４をさらに備えたものである。
【００５３】
以上のように、この実施の形態２によれば、通話チャネルの周波数を設定して受信を開始するようにしたので、通話を再開するための処理時間が短縮され、より迅速に通話を再開できる効果が得られる。
【００５４】
【発明の効果】
以上のように、この発明によれば、時刻計数部によって通話中の時刻を計数しているので電源が切断された後も時刻を正確に計数できる効果が得られ、また、データ記憶部にバックアップ電源から電圧が供給されているので、通話中に電源が切断されてもデータ記憶部に記憶されたデータが消去されず、電源をオンしたときに、データ記憶部に記憶された通話中フラグによってバッテリの電圧低下によって通話が切断されたことを検出して、直ちに通話を再開するための切り戻りを試行することができる効果がある。
【図面の簡単な説明】
【図１】この発明の実施の形態１の移動無線機の構成の一例を示す図である。
【図２】この発明の実施の形態１の移動無線機のバッテリ交換制御部の構成を示す図である。
【図３】この発明の実施の形態１の移動無線機による通話中の処理を示すフロー図である。
【図４】この発明の実施の形態１の移動無線機によるバッテリ交換後に電源をオンした後の処理を示すフロー図である。
【図５】この発明の実施の形態２の移動無線機のバッテリ交換制御部の構成を示す図である。
【図６】この発明の実施の形態２の移動無線機による処理を示すフロー図である。
【符号の説明】
１０　主制御部、２０　制御プログラム記憶部、３０　データ記憶部、４０　通信情報記憶部、５０　ＴＤＭＡ制御部、６０　送受信部、７０　時刻計数部、８０　バックアップ電源、９０　バッテリ交換制御部、９１　バッテリ交換制御手段、９２　切り戻り試行手段、９３　ハンドオーバ試行手段、９４　受信開始手段。
【図１】
2004147211.tif 000003
【図２】
2004147211.tif 000004
【図３】
2004147211.tif 000005
【図４】
2004147211.tif 000006
【図５】
2004147211.tif 000007
【図６】
2004147211.tif 000008